(57)【特許請求の範囲】
【請求項１】
分散型電源が電力系統から切り離され単独運転しているか否かの検出のため電力系統に無効電力を与えて系統周波数変動、系統電圧変動、高調波変動を起こさせると共に、この系統周波数変動、系統電圧変動、高調波変動に基づいて単独運転検出を行う単独運転検出方法において、
系統電力の系統周波数を計測する工程と、
系統電力の系統電圧を計測する工程と、
系統電力の高調波歪を計測する工程と、
上記計測した系統周波数から系統周波数偏差を演算する工程と、
上記演算した系統周波数偏差に基づいて系統周波数変動型単独運転検出系統からの無効電力量を演算する工程と、
上記演算した系統周波数変動型単独運転検出系統からの無効電力を無効電力加算部に入力する工程と、
上記演算した系統周波数偏差が一定以下で、かつ、単独運転状態での電気的変動が系統電圧変動である場合に、系統電圧変動型単独運転検出系統からの一定量の無効電力を上記無効電力加算部に入力する工程と、
上記演算した系統周波数偏差が一定以下で、かつ、単独運転状態での電気的変動が高調波変動である場合に、高調波変動型単独運転検出系統からの一定量の無効電力を上記無効電力加算部に入力する工程と、
上記無効電力加算部にて入力された無効電力を加算し、この加算した無効電力を電力系統に注入する工程と、
を含む、ことを特徴とする単独運転検出方法。
【請求項２】
分散型電源が電力系統から切り離されて単独運転しているか否かを検出する単独運転検出装置に対してその検出動作を制御する制御装置において、
系統電力の電圧を計測する系統電圧計測部と、
系統電力の高調波歪電圧を計測する高調波歪計測部と、
系統電力の系統周波数を計測する系統周波数計測部と、
上記系統周波数計測部の計測値から現在の系統周波数の移動平均値と、過去の系統周波数の移動平均値とを算出すると共に、この算出値から系統周波数偏差を演算する系統周波数偏差演算部と、
上記系統周波数偏差演算部の系統周波数偏差から電力系統に注入する無効電力量を演算する無効電力量注入演算部と、
系統周波数偏差が所定系統周期数分にわたり連続して一定以下となる状態が継続して系統周波数に実質変化が無く、かつ、系統電圧が予め設定した所定電圧範囲内に沿って変化したときに系統電圧が単独運転発生に起因して急変したと判定して一定の無効電力を注入する制御を行う第１無効電力注入演算部と、
系統周波数偏差が所定系統周期数分にわたり連続して一定以下となる状態が継続して系統周波数に実質変化が無く、かつ、高調波歪電圧が予め設定した所定電圧範囲内に沿って変化したときに高調波歪電圧が単独運転発生に起因して急変したと判定して一定の無効電力を注入する制御を行う第２無効電力注入演算部と、
上記第１、第２無効電力注入演算部からのいずれか一方の無効電力を選択する無効電力注入方式判定部と、
上記無効電力量注入演算部からの演算無効電力と、上記無効電力注入方式判定部にて選択した上記第１、第２無効電力注入演算部からのいずれか一方の無効電力とを加算する無効電力加算部と、
上記無効電力加算部の出力に応じて出力電流制御信号を出力する出力電流制御部と、
を備えた、ことを特徴とする制御装置。
【請求項３】
分散型電源が電力系統から切り離され単独運転しているか否かの検出のため無効電力を電力系統に注入する単独運転検出装置において、
請求項２に記載の制御装置と、
上記制御装置の上記出力電流制御部からの出力電流制御信号が入力されるインバータ制御部と、
上記インバータ制御部にて制御され無効電力を電力系統に注入するインバータと、
を備えた、ことを特徴とする単独運転検出装置。
【請求項４】
直流電力を発電する分散型電源と、
上記分散型電源と連系接続する電力系統と、
上記分散型電源および上記電力系統間に配置され、電力変換機能を通じて、上記分散型電源にて発電した直流電力を上記電力系統の交流電力に変換し、この変換した交流電力を負荷に供給するパワーコンディショナと、
上記パワーコンディショナおよび上記電力系統間に配置され、上記分散型電源が上記電力系統から切り離されて単独運転しているか否かを検出する請求項３に記載の単独運転検出装置と、
を備えた、ことを特徴とする分散型電源システム。
【発明の詳細な説明】
【技術分野】
【０００１】
本発明は、分散型電源が電力系統から切り離され単独運転しているか否かの検出のため電力系統に電気的な能動信号を与えて電気的変動を起こさせると共に、この電気的変動に基づいて単独運転検出を行う単独運転検出方法に関するものである。また、本発明は、分散型電源の単独運転検出用制御装置、単独運転検出装置および分散型電源システムに関するものである。
【背景技術】
【０００２】
単独運転は、事故発生やその他の事情で電力系統が停止しているときに、分散型電源が局所的な系統負荷に電力を供給している状態である。分散型電源は、需要地あるいはその近辺に電源を設置して発電することができる。分散型電源には、電力系統に連系された、エンジン発電機、タービン発電機、電力貯蔵装置、燃料電池等、の各種がある。また、このような分散電源を系統電力に連系させて使用するため、周波数や電圧を電力系統に適合させるパワーコンディショナが数多く提案されている。
【０００３】
以上説明した分散型電源と、その分散型電源の出力を交流に変換するパワーコンディショナとを備えた分散型電源設備を商用電力系統と連系して家電製品などの負荷に給電する分散型電源システムが実施されている。この分散型電源システムでは、商用電力系統の保全作業の安全を確保するため、商用電力系統の不測の停電時及び作業停電時において、直ちに分散型電源設備側のパワーコンディショナの動作を停止させるか、又は直ちに開閉器を作動させて連系を解除することにより、分散型電源を商用電力系統から解列させて、分散型電源の単独運転を防止する機能が不可欠である。
【０００４】
図１４に、分散型電源の多数台連系のイメージ図を示す。パワーコンディショナの単独運転検出時間は、能動方式で０．５〜１．０秒要している。これは、(i)住宅単位での単独運転を想定した特性であり、分散型電源が少量普及の段階では問題にならなかった。しかし昨今、分散型電源が普及期にはいっており、図１４で示すような多数台連系が実施されている。この場合、(ii)柱上変圧器単位、(iii)区分開閉器単位、(iv)遮断機単位での単独運転の可能性がある。これらの高圧系を含んだ場合、高低圧混触事故を想定して、単独運転の検出が必要となる。
【０００５】
このような単独運転を検出する方式の１つに、電力系統に能動信号として無効電力を注入し単独運転発生時には上記注入した無効電力により電気的変動を引き起し、この電気的変動を検出して、分散型電源の単独運転を検出する能動方式が既に提案されている。
【０００６】
そして、本出願人は、特願２００６−２２５０１６で電気的変動が系統周波数変動である単独運転検出方法、特願２００７−１６８４２１で電気的変動が系統電圧である単独運転検出方法、特願２００７−２０９２８５で電気的変動が高調波変動である単独運転検出方法について出願している。
【０００７】
しかしながら、これら各単独運転検出方法では、単独運転状態として、単独運転検出装置からの注入無効電力と負荷無効電力とがバランスしている場合と、バランスしていない場合とで、また、注入無効電力と負荷無効電力とがバランスしていても、していなくても、単独運転検出装置からの注入有効電力と、負荷有効電力とがバランスしている場合と、バランスしていない場合とでは、単独運転検出感度が高く良好な単独運転検出方法がある一方で、単独運転検出感度が著しく低くなる単独運転検出方法がある。
【０００８】
なお、単独運転検出の特許文献は多数あり代表例を以下に挙げる。
【特許文献１】特開平０２−１４４６１５号公報
【特許文献２】特開平０８−９８４１１号公報
【特許文献３】特許３３９７９１２号公報
【特許文献４】特許３４２４４４３号公報
【発明の開示】
【発明が解決しようとする課題】
【０００９】
そこで、本出願人は、上記電力バランス等の単独運転状態のいかんにかかわらず、複数の単独運転検出方法を組み合わせることにより、単独運転状態の広範囲な態様にわたり単独運転検出を良好ないし比較的良好な感度で行うことができることに関して鋭意研究を行ったのである。
【００１０】
しかしながら、一方では、複数の単独運転検出方法を組み合わせて、同時に電力系統に無効電力等の能動信号を注入した場合では、電力系統に好ましくない影響を及ぼす場合があるので、その影響を考えた場合、単純に、複数の単独運転検出方法を組み合わせることはできない。
【００１１】
そこで、本発明においては、上記単独運転検出方法における単独運転検出系統を組み合わせることで、単独運転状態のいかんにかかわらず、電力系統に与える影響を軽減しつつ、全体的には単独運転検出感度を良好ないし比較的良好に維持することができる単独運転検出方法を提供することを課題としている。
【課題を解決するための手段】
【００１２】
（１）本発明による単独運転検出方法は、分散型電源が電力系統から切り離され単独運転しているか否かの検出のため電力系統に無効電力を与えて系統周波数変動、系統電圧変動、高調波変動を起こさせると共に、この系統周波数変動、系統電圧変動、高調波変動に基づいて単独運転検出を行う単独運転検出方法において、
系統電力の系統周波数を計測する工程と、
系統電力の系統電圧を計測する工程と、
系統電力の高調波歪を計測する工程と、
上記計測した系統周波数から系統周波数偏差を演算する工程と、
上記演算した系統周波数偏差に基づいて系統周波数変動型単独運転検出系統からの無効電力量を演算する工程と、
上記演算した系統周波数変動型単独運転検出系統からの無効電力を無効電力加算部に入力する工程と、
上記演算した系統周波数偏差が一定以下で、かつ、単独運転状態での電気的変動が系統電圧変動である場合に、系統電圧変動型単独運転検出系統からの一定量の無効電力を上記無効電力加算部に入力する工程と、
上記演算した系統周波数偏差が一定以下で、かつ、単独運転状態での電気的変動が高調波変動である場合に、高調波変動型単独運転検出系統からの一定量の無効電力を上記無効電力加算部に入力する工程と、
上記無効電力加算部にて入力された無効電力を加算し、この加算した無効電力を電力系統に注入する工程と、
を含む、ことを特徴とするものである。
【００１３】
上記単独運転検出の不感帯は、単独運転検出感度において相対的な感度である。すなわち、単独運転検出感度を、例えば、高感帯、低感帯との２つに相対的に感度を分けた場合に、その低感帯より感度が低い感度帯のことである。あるいは、通常の感度に対してそれより以下の感度を不感帯と称することもできる。これらはユーザの設定により、不感帯を定義することができる。いずれにしても、上記複数の単独運転検出系統において、少なくともいずれか１つの単独運転検出系統に他の単独運転検出系統と相対的に比較して、電気的変動の種類によっては、単独運転検出の感度が不足する場合には、他の単独運転検出系統でその不感帯を補足することである。
【００１４】
したがって、能動信号を電力系統に付与して各種の電気的変動が起きても、単独運転検出が例えば全く不可能な程度の検出感度の単独運転検出系統から、単独運転検出が可能な単独運転検出系統もあるので、単独運転検出系統としては、複数の単独運転検出系統を備え、それら単独運転検出系統の組み合わせ（単独の場合も含む意義）で広い単独運転状態を単独運転検出感度がより低い感度帯を不感帯とし、他の単独運転検出系統が検出できるように相対的に各単独運転検出系統が検出感度をカバーするものである。
【００１５】
本発明では、単独運転検出系統を単独でまたは複数組み合わせるので、広範囲にわたる単独運転状態に対して、電力系統に与える影響を軽減しながら、全体的には単独運転検出感度を良好に維持することができる。
【００１９】
（２）本発明による制御装置は、分散型電源が電力系統から切り離されて単独運転しているか否かを検出する単独運転検出装置に対してその検出動作を制御する制御装置において、
系統電力の電圧を計測する系統電圧計測部と、
系統電力の高調波歪電圧を計測する高調波歪計測部と、
系統電力の系統周波数を計測する系統周波数計測部と、
上記系統周波数計測部の計測値から現在の系統周波数の移動平均値と、過去の系統周波数の移動平均値とを算出すると共に、この算出値から系統周波数偏差を演算する系統周波数偏差演算部と、
上記系統周波数偏差演算部の系統周波数偏差から電力系統に注入する無効電力量を演算する無効電力量注入演算部と、
系統周波数偏差が所定系統周期数分にわたり連続して一定以下となる状態が継続して系統周波数に実質変化が無く、かつ、系統電圧が予め設定した所定電圧範囲内に沿って変化したときに系統電圧が単独運転発生に起因して急変したと判定して一定の無効電力を注入する制御を行う第１無効電力注入演算部と、
系統周波数偏差が所定系統周期数分にわたり連続して一定以下となる状態が継続して系統周波数に実質変化が無く、かつ、高調波歪電圧が予め設定した所定電圧範囲内に沿って変化したときに高調波歪電圧が単独運転発生に起因して急変したと判定して一定の無効電力を注入する制御を行う第２無効電力注入演算部と、
上記第１、第２無効電力注入演算部からのいずれか一方の無効電力を選択する無効電力注入方式判定部と、
上記無効電力量注入演算部からの演算無効電力と、上記無効電力注入方式判定部にて選択した上記第１、第２無効電力注入演算部からのいずれか一方の無効電力とを加算する無効電力加算部と、
上記無効電力加算部の出力に応じて出力電流制御信号を出力する出力電流制御部と、
を備えた、ことを特徴とするものである。
【００２０】
（３）本発明による単独運転検出装置は、分散型電源が電力系統から切り離され単独運転しているか否かの検出のため無効電力を電力系統に注入する単独運転検出装置において、
上記（２）に記載の制御装置と、
上記制御装置の上記出力電流制御部からの出力電流制御信号が入力されるインバータ制御部と、
上記インバータ制御部にて制御され無効電力を電力系統に注入するインバータと、
を備えた、ことを特徴とするものである。
【００２１】
（４）本発明による分散型電源システムは、
直流電力を発電する分散型電源と、
上記分散型電源と連系接続する電力系統と、
上記分散型電源および上記電力系統間に配置され、電力変換機能を通じて、上記分散型電源にて発電した直流電力を上記電力系統の交流電力に変換し、この変換した交流電力を負荷に供給するパワーコンディショナと、
上記パワーコンディショナおよび上記電力系統間に配置され、上記分散型電源が上記電力系統から切り離されて単独運転しているか否かを検出する上記（３）に記載の単独運転検出装置と、
を備えた、ことを特徴とするものである。
【００２２】
本発明での単独運転検出装置はその名称に限定されるものではなく、パワーコンディショナ、その他の名称で称する場合も含む。
【発明の効果】
【００２３】
本発明によれば、単独運転状態のいかんにかかわらず、電力系統に与える影響を軽減しつつ、全体的には単独運転検出を良好な感度で行うことができる。
【発明を実施するための最良の形態】
【００２４】
以下、添付図面を参照して、本発明の実施の形態に係る単独運転検出方法を説明する。図１は実施の形態の単独運転検出方法で単独運転を検出する単独運転検出装置を備えた分散型電源システムの概略構成を示す。実施の形態では高調波として総合高調波歪電圧や高調波歪電圧で説明するが、これに限定されない。
【００２５】
図１に示す分散型電源システム１０は、直流電力を発電する、例えば太陽光発電機やガスエンジン発電機等の分散型電源１２と、この分散型電源１２と連系接続する電力系統１４と、分散型電源１２および電力系統１４間に配置され、電力変換機能を備えたパワーコンディショナ１６と、パワーコンディショナ１６および電力系統１４間に配置され、電力系統１４停電時の分散型電源１２の単独運転を検出する単独運転検出装置１８とを有し、パワーコンディショナ１６は、電力変換機能を通じて、分散型電源１２にて発電した直流電力を電力系統１４の交流電力に変換し、この変換した交流電力を−般家電機器等の図外の負荷等に供給するものである。
【００２６】
単独運転検出装置１８は、連系リレー２０，２２と、制御装置２４と、インバータ制御部２６と、インバータ２８と、電流検出器３０とを備える。
【００２７】
制御装置２４は、入力線Ｌ１，Ｌ２，Ｍそれぞれ通じて電力系統ライン３２に接続して電力系統１４の系統電圧、高調波歪電圧、系統周波数を計測し、これらから、出力線Ｐを通じて連系リレー２０，２２に単独運転検出出力を出力することにより連系リレー２０，２２をオフすると共にインバータ制御部２６に出力線Ｑを通じて注入無効電力を注入するための電流制御指令値を出力するようになっている。
【００２８】
そして制御装置２４は、計測した系統周波数から所定系統周期内での系統周波数偏差を演算すると共にこの演算した系統周波数偏差に基づいて電力系統に注入するべき無効電力を演算し、この演算に係る無効電力を電力系統に注入している一方、上記計測した系統周波数と系統電圧と高調波歪電圧とから上記系統周波数偏差が所定系統周期数分にわたり連続して一定以下となる状態が継続して系統周波数に実質変化が無くかつ系統電圧、高調波歪電圧が所定電圧変動範囲を超える変化でもって急変したという条件が成立させるか否かを判定し、上記条件が成立との判定により、上記既に注入している無効電力に加えて、さらに無効電力を注入する制御を行うことができる。
【００２９】
制御装置２４をマイコンで構成してもよい。例えば、制御装置２４をマイコンで構成した場合、制御装置２４は、ＣＰＵ、メモリ、インターフェース等を有する。上記メモリに実施の形態の単独運転検出方法を実施するための制御プログラムが記憶されている。ＣＰＵは、インターフェースを介して、入力される系統電圧、系統電流、系統電力、等に基づいて、各種演算等を実行し、その実行結果から、インターフェースを介して、連系リレー２０，２２の開閉指令である単独運転検出出力を出力し、インバータ制御部２６に対する各種指令である電流制御指令値を出力するようになっている。
【００３０】
実施の形態では、説明の理解のため、制御装置２４にマイコンを内蔵させそのマイコンの制御プログラムにより以下に説明する機能を実行するようになっている。図２はそのマイコンの機能構成を示す。
【００３１】
図２を参照して制御装置２４の機能を詳細に説明する。図２は制御装置２４の機能の理解に供するためブロック構成で示した図であり、マイコン内部にこのブロック構成がハードウェアとして存在するものではない。勿論、ハードウェアとして構成することも可能であるから、実施の形態ではそのいずれにも限定しない。
【００３２】
制御装置２４は、電力系統ライン３２から入力線Ｌ１を通じて入力する系統電力の電圧を計測する系統電圧計測部３４ａと、電力系統ライン３２から入力線Ｌ２を通じて入力する系統電力の高調波歪電圧を計測する高調波歪計測部３４ｂと、電力系統ライン３２から入力線Ｍを通じて入力する系統電力の系統周波数を計測する系統周波数計測部３６と、この系統周波数計測部３６の計測値から単独運転判定を行いその判定に従い連系リレー２０，２２をオンオフする単独運転検出出力を出力線Ｐに出力する単独運転判定部３８と、系統周波数計測部３６の計測値から現在の系統周波数の移動平均値と、過去の系統周波数の移動平均値とを算出すると共にこの算出値から系統周波数偏差を演算する系統周波数偏差演算部４０と、この系統周波数偏差演算部４０の系統周波数偏差から電力系統に注入する無効電力量を演算する無効電力量注入演算部４２とを備える。
【００３３】
制御装置２４はまた、系統周波数偏差が所定系統周期数分にわたり連続して一定以下となる状態が継続して系統周波数に実質変化が無く、かつ、系統電圧が予め設定した所定電圧範囲内に沿って変化したときに系統電圧が単独運転発生に起因して急変したと判定して一定の無効電力を注入する制御を行う第１無効電力注入演算部４４ａを備える。
【００３４】
制御装置２４はさらにまた、系統周波数偏差が所定系統周期数分にわたり連続して一定以下となる状態が継続して系統周波数に実質変化が無く、かつ、高調波歪電圧が予め設定した所定電圧範囲内に沿って変化したときに高調波歪電圧が単独運転発生に起因して急変したと判定して一定の無効電力を注入する制御を行う第２無効電力注入演算部４４ｂを備える。
【００３５】
制御装置２４はさらにまた、第１、第２無効電力注入演算部４４ａ，４４ｂからのいずれか一方の無効電力を選択して出力する選択ゲート４５と、選択ゲート４５の選択動作を制御する無効電力注入方式判定部４７と、無効電力量演算部４２からの演算無効電力と、選択ゲート４５からの第１、第２無効電力注入演算部４４ａ，４４ｂからの無効電力とを加算する無効電力加算部４６と、無効電力加算部４６の出力に応じて出力電流制御信号をインバータ制御部２６へ出力線Ｑを通じて出力する出力電流制御部４８と、を備える。
【００３６】
系統周波数偏差演算部４０は、現在の系統周波数の移動平均値を算出する現在移動平均算出部４０ａと、過去の系統周波数の移動平均値を算出する過去移動平均算出部４０ｂと、これら両算出値から系統周波数偏差を演算する演算部４０ｃとを備える。
【００３７】
系統周波数計測部３６は、系統電圧から電力系統の系統周波数を計測周期単位、例えば５ｍ秒単位で順次計測するものである。なお、電力系統の系統周波数を５０Ｈｚ（１系統周期は２０ｍ秒）とした場合、その系統周期単位は、電力系統の系統周期の１／３以下、例えば、５ｍ秒単位にすることが望ましい。
【００３８】
系統周波数偏差演算部４０においては、系統周波数計測部３６で順次計測した５ｍ秒単位の系統周期に基づき、連続した所定移動平均時間分、例えば４０ｍ秒分の系統周期の移動平均値を順次算出するものである。なお、所定移動平均時間は、系統周期の一周期、例えば２０ｍ秒よりも長く、かつ所望する検出速度、例えば１００ｍ秒よりもできる限り短い時間を条件とするため、例えば４０ｍ秒にすることが望ましい。
【００３９】
図３は、系統周波数計測部３６、系統周波数偏差演算部４０に関わる動作説明図であり、Ｃ０は系統周波数計測部３６で現在計測した系統周期、Ｃ１が５ｍ秒前に計測した系統周期、Ｃｎはｎ*５ｍ秒前の系統周期の計測値を示す。したがって、系統周波数偏差演算部４０は、最新の移動平均値は、Ｃ０−Ｃ７分の４０ｍ秒分の系統周期を移動平均化して５ｍ秒単位で順次算出するものである。
【００４０】
過去の移動平均値は、Ｃ０−Ｃ７の最新の移動平均値とした場合、Ｃ０から２００ｍ秒前のＣ４０−Ｃ４７の４０ｍ秒分の系統周期を移動平均化して５ｍ秒単位で順次算出したものである。また、現在の系統周波数偏差は、過去の移動平均値（Ｃ４０−Ｃ４７）−最新の移動平均値（Ｃ０−Ｃ７）で算出するものである。
【００４１】
無効電力量注入演算部４２は、図４の無効電力量対系統周波数偏差との特性を使用して、系統周波数偏差演算部４０で算出した系統周波数偏差に基づいて無効電力量を算出し、この無効電力量を加算部４６を経て出力電流制御部４８に通知するものである。図４に示す無効電力量対系統周波数偏差特性は、系統周波数偏差が小さいときは系統周波数偏差の変化に対する無効電力量の変化割合を小さくすなわち特性線Ｌ１の傾きを小さくして単独運転検出感度を低くするレンジである低感帯レンジＲ１と、系統周波数偏差が大きいときは系統周波数偏差の変化に対する無効電力量の変化割合を大きくすなわち特性線Ｌ１の傾きを大きくして単独運転検出感度を高くするレンジである高感帯レンジＲ２１，Ｒ２２とを設定する。
【００４２】
系統周波数偏差が高感帯レンジＲ２１では無効電力量を減少し、高感帯レンジＲ２２では無効電力量を増加し、低感帯レンジＲ１では、系統周波数偏差に対する無効電力量の変化割合を小さく設定する。すなわち系統周波数偏差が小さい低感帯レンジＲ１でも、分散型電源１２の単独運転を検出すべく、無効電力を注入することができ、さらには、無効電力量の変化割合を高感帯レンジＲ２１，Ｒ２２の場合に比較して小さくすることで、系統電圧の低速な系統周波数の揺れの影響を受けることなく、分散型電源１２が電力系統１４に与える影響を確実に防止可能とする。
【００４３】
以上説明した分散型電源システムは図５で示すシステムでも同様である。このシステムではパワーコンディショナ１６内部に単独運転検出装置を内蔵したものである。図１と対応する部分には同一の符号を付している。
【００４４】
そして、系統周波数偏差演算部４０と、無効電力量注入演算部４２とが系統周波数変動を単独運転状態時に示す１つの電気的変動として電力系統に無効電力を注入する１つの単独運転検出系統（系統周波数変動型単独運転検出系統）を構成する。
【００４５】
また、系統電圧計測部３４ａと、第１無効電力注入演算部４４ａとが系統電圧変動を単独運転状態時に示す１つの電気的変動として電力系統に無効電力を注入する１つの単独運転検出系統（系統電圧変動型単独運転検出系統）を構成する。
【００４６】
さらに、高調波歪計測部３４ｂと、第２無効電力注入演算部４４ｂとが高調波歪電圧変動（高調波変動）を単独運転状態時に示す１つの電気的変動として電力系統に無効電力を注入する１つの単独運転検出系統（高調波変動型単独運転検出系統）を構成する。
【００４７】
なお、上記各単独運転検出系統は、一例であり、他の単独運転検出系統であってもよいことは勿論である。また、単独運転検出系統は３つ以上の複数であってもよいことは勿論である。
【００４８】
以下、さらに説明する。なお、説明では、説明の重複等を回避するため系統電圧変動型と高調波変動型両単独運転検出系統についてはまとめて説明する。
【００４９】
系統電圧計測部３４ａと高調波歪計測部３４ｂでは、それぞれ、図６で示すように、各系統周期ごとに系統電圧、総合高調波歪電圧を計測する。図６で「Ｔ０」，「Ｔ１」，「Ｔ２」，…，「Ｔ１３」は系統周期であり、「Ｎ０」，「Ｎ１」，「Ｎ２」，「Ｎ３」，「Ｎ４」，「Ｎ５」；「Ｍ０」，「Ｍ１」，「Ｍ２」，「Ｍ３」，「Ｍ４」，「Ｍ５」は、それぞれの系統周期での系統電圧と総合高調波歪電圧である。Ｎ０，Ｍ０は現在の系統周期Ｔ０での系統電圧，総合高調波歪電圧、Ｎ１，Ｍ１は系統周期Ｔ１での系統電圧，総合高調波歪電圧、…、Ｎ５，Ｍ５は系統周期Ｔ５での系統電圧，総合高調波歪電圧である。Ｎａｖｒ，Ｍａｖｒは実施の形態では現在系統周期Ｔ０から３系統周期前の系統周期Ｔ３から５系統周期前の系統周期Ｔ５までの合計３系統周期の系統電圧，総合高調波歪電圧の平均値である。もちろん、この系統電圧，総合高調波歪電圧の平均値Ｎａｖｒ，Ｍａｖｒは実施の形態の３系統周期に限定されず、適宜に決定することができる。
【００５０】
総合高調波歪電圧をＴＨＤ、２次高調波歪電圧をＶ2、３次高調波歪電圧をＶ3、４次高調波歪電圧をＶ4、５次高調波歪電圧をＶ5、６次高調波歪電圧をＶ6、７次高調波歪電圧をＶ7とすると、総合高調波歪電圧は、それぞれの高調波歪電圧Ｖ2ないしＶ7を二乗し、それらの加算値の平方根である次式で与えられる。
【００５１】
ＴＨＤ＝√（Ｖ2）2＋（Ｖ3）2＋（Ｖ4）2＋（Ｖ5）2＋（Ｖ6）2＋（Ｖ7）2
ただし、上記式の総合高調波歪電圧は、２次ないし７次の高調波歪電圧から上記演算式で与えられるが、それ以上の次数の高調波波電圧を除外するものではない。
【００５２】
また、高調波歪計測部３４ｂでは、総合高調波歪電圧を計測したが、例えば、３次高調波歪電圧Ｖ３を計測してもよいし、他の次数の高調波歪電圧を計測してもよい。
【００５３】
その意味で、以下の説明では総合高調波歪電圧と称するのではなく、単に高調波歪電圧として説明する。
【００５４】
上記では、単独運転検出を総合高調波電圧や２次以上の高調波歪電圧で行うが、総合高調波歪電流、総合高調波歪電力、あるいは２次以上の高調波歪電流、２次以上の高調波歪電力でもよい。
【００５５】
第１無効電力注入演算部４４ａにおいては、系統電圧計測部３４ａからの系統電圧の計測値と、系統周波数計測部３６からの系統周波数の計測値と、系統周波数偏差演算部４０からの系統周波数偏差と、を入力し、これらから、条件（ａ１）として系統周波数偏差が所定系統周期数分にわたり連続して一定範囲内となる状態が継続して系統周波数に実質変化が無いか、かつ、条件（ｂ１）として系統電圧が予め設定した所定電圧変動範囲内に沿って変化したかという上記２条件（ａ１）（ｂ１）が成立するか否かを判定する。
【００５６】
第２無効電力注入演算部４４ｂにおいては、高調波歪計測部３４ｂからの高調波歪の計測値と、系統周波数計測部３６からの系統周波数の計測値と、系統周波数偏差演算部４０からの系統周波数偏差と、を入力し、これらから、条件（ａ２）として系統周波数偏差が所定系統周期数分にわたり連続して一定範囲内となる状態が継続して系統周波数に実質変化が無いか、かつ、条件（ｂ２）として高調波歪電圧が予め設定した電圧範囲内に沿って変化したかという上記２条件（ａ２）（ｂ２）が成立するか否かを判定する。
【００５７】
この判定を系統電圧、高調波歪電圧が上昇と下降方向とに分けて図７（ａ）（ｂ）、図８（ａ）（ｂ）（ｃ）（ｄ）、図９（ａ）（ｂ）を参照して説明する。
【００５８】
図７（ａ）（ｂ）は判定条件（ａ１）（ａ２）、図８（ａ）（ｂ）は判定条件（ｂ１）、図８（ｃ）（ｄ）は判定条件（ｂ２）、図９（ａ）（ｂ）は上記判定条件（ａ１）（ｂ１）または（ａ２）（ｂ２）が共に成立する場合の第１、第２無効電力注入判定部４４ａ，４４ｂからの無効電力の注入状態、を示す。
【００５９】
また、図７（ａ）、図８（ａ）、図８（ｃ）、図９（ａ）はそれぞれ系統電圧が上昇方向に急変する場合、図７（ｂ）、図８（ｂ）、図８（ｄ）、図９（ｂ）はそれぞれ系統電圧が下降方向に急変する場合を示す。
【００６０】
判定条件（ａ１）（ａ２）に関して、図７（ａ）（ｂ）で横方向のＴ０，Ｔ１，Ｔ２，Ｔ３，Ｔ４，Ｔ５は上記した系統周期、縦軸は系統周波数偏差である。点線ｆ１は系統周波数偏差が偏差０Ｈｚからプラス（＋）側に０．５Ｈｚ、ｆ２は系統周波数偏差が偏差０Ｈｚからマイナス（−）側に０．５Ｈｚである。この系統周波数偏差が±０．５Ｈｚの一定範囲（偏差範囲ΔＴ＝１．０Ｈｚ）内の状態が所定系統周期数分、実施の形態では例えば６系統周期にわたり連続して継続すれば系統周波数に実質変化が無いと判定する。もちろん、上記判定では系統周波数偏差が上記一定範囲内に連続して継続する系統周期の数は６系統周期に限定されず、少なくとも２以上の系統周期でよい。
【００６１】
図７（ａ）で示すように系統電圧、高調波歪電圧が上昇方向に急変する場合では系統周波数偏差が系統周期Ｔ１から偏差０Ｈｚからプラス（＋）側であり、図７（ｂ）で示すように系統電圧、高調波歪電圧が下降方向に急変する場合では系統周波数偏差が系統周期Ｔ１から偏差０Ｈｚからマイナス（−）側である。なお、系統周期ごとに系統周波数偏差を演算するために系統周期と系統周期との間の系統周波数偏差はデジタル的に変化する。また、実施の形態では系統周波数偏差演算部４０で系統周期ごとに系統周波数偏差を演算するが、これに限定されない。
【００６２】
なお図７（ａ）（ｂ）では理解のため系統周波数偏差が現在系統周期Ｔ０から過去３系統周期以上連続して上記一定範囲内として系統周波数は実質変化していないとして判定条件（ａ１）（ａ２）は成立する状態で示している。
【００６３】
次に図８（ａ）（ｂ）（ｃ）（ｄ）を参照して、判定条件（ｂ１）（ｂ２）を説明する。
【００６４】
図８（ａ）（ｂ）は横軸に系統周期、縦軸は系統電圧（Ｖ）、図８（ｃ）（ｄ）は横軸に系統周期、縦軸は高調波歪電圧（Ｖ）である。実線（Ｎａｖｒ），（Ｍａｖｒ）は、現在系統周期Ｔ０から３周期前から５周期前までの３系統周期Ｔ３，Ｔ４，Ｔ５の系統電圧の平均値Ｎａｖｒ、高調波歪電圧の平均値Ｍａｖｒを示す線である。Ｎ０，Ｎ１，Ｎ２，Ｎ３，Ｎ４，Ｎ５；Ｍ０，Ｍ１，Ｍ２，Ｍ３，Ｍ４，Ｍ５はそれぞれ系統周期Ｔ０，Ｔ１，Ｔ２，Ｔ３，Ｔ４，Ｔ５それぞれでの系統電圧、高調波歪電圧である。
【００６５】
点線（Ｎｉ）は、各系統電圧の変化を示すためにそれらを結ぶ線、点線（Ｍｉ）は、各高調波歪電圧の変化を示すためにそれらを結ぶ線である。
【００６６】
図８（ａ）（ｃ）で示すように系統電圧、高調波歪電圧上昇方向での系統電圧、高調波歪電圧変動の判定条件（ｂ１）（ｂ２）は、上記各系統電圧、高調波歪電圧が図８（ａ）（ｃ）中の網掛け領域Ｓ１ａ、Ｓ１ｂ内の電圧であることである。この網掛け領域Ｓ１ａ、Ｓ１ｂに関して具体数値による判定条件式を示すと、下記（１ａ）（１ｂ）である。図８（ａ）（ｃ）中の黒丸（●）印は、各系統電圧、高調波歪電圧を示す目印である。この判定条件式では、各系統周期Ｔ０，Ｔ１，Ｔ２，Ｔ３，Ｔ４，Ｔ５ごとの系統電圧Ｎ０，Ｎ１，Ｎ２，Ｎ３，Ｎ４，Ｎ５；各系統周期Ｔ０，Ｔ１，Ｔ２，Ｔ３，Ｔ４，Ｔ５ごとの高調波歪電圧Ｍ０，Ｍ１，Ｍ２，Ｍ３，Ｍ４，Ｍ５が、それぞれ、過去複数の系統周期それぞれの系統電圧平均値Ｎａｖｒ、高調波歪み電圧平均値Ｍａｖｒに対して各系統周期Ｔ０，Ｔ１，Ｔ２，Ｔ３，Ｔ４，Ｔ５ごとに定めた所定電圧変動範囲でもって変化したときに系統電圧、高調波歪電圧が変動したと判定する。これは図８（ｂ）（ｄ）でも同様である。
【００６７】
この場合、判定条件式（１ａ）（１ｂ）では、系統電圧Ｎ０，Ｎ１，Ｎ２，Ｎ３，Ｎ４，Ｎ５のうち、Ｎ０，Ｎ１は、系統電圧平均値Ｎａｖｒとの差、また、高調波歪電圧Ｍ０，Ｍ１，Ｍ２，Ｍ３，Ｍ４，Ｍ５のうち、Ｍ０，Ｍ１は、高調波歪電圧平均値Ｍａｖｒとの差が、それぞれ他の系統電圧Ｎ２，Ｎ３，Ｎ４，Ｎ５、高調波歪電圧Ｍ２，Ｍ３，Ｍ４，Ｍ５それぞれよりも大きく急増するような系統電圧変化パターン、高調波歪電圧変化パターンを判定条件に含めている。このことにより、単独運転発生が原因とする場合と、そうではない他の原因とを区別できるようにしている。また、系統電圧Ｎ３，Ｎ４，Ｎ５が系統電圧平均値Ｎａｖｒとの差が所定電圧変化幅（−０．５〜＋０．５Ｖ）内で推移していたが、系統電圧Ｎ２では系統電圧平均値Ｎａｖｒとの差が、所定電圧＋０．５を超えて、系統電圧Ｎ０，Ｎ１では所定電圧、実施の形態では系統電圧平均値Ｎａｖｒとの差（系統電圧変化幅）は３Ｖを超えて、また、高調波歪電圧系統電圧Ｍ３，Ｍ４，Ｍ５が所定電圧変化幅（−０．５〜＋０．５Ｖ）内で推移していたが、高調波歪電圧Ｍ２では高調波歪電圧平均値Ｍａｖｒとの差が、所定電圧＋０．５を超えて、高調波歪電圧Ｍ０，Ｍ１では高調波歪電圧平均値Ｍａｖｒとの差（高調波歪電圧変化幅）は、所定電圧、実施の形態では２Ｖを超えて急増することを判定条件にしている。
【００６８】
以上から、系統電圧、高調波歪電圧が過去複数の系統周期に沿って予め設定した系統電圧変化パターン、高調波歪電圧変化パターンに対応した変化を呈したときに、単独運転発生に関わる系統電圧変動あり、あるいは高調波変動有りと判定して当該電力系統に無効電力を注入することができる。
【００６９】
また、上記判定を行う第１、第２無効電力注入演算部４４ａ，４４ｂそれぞれの判定出力を、選択ゲート４５からいずれかを選択出力することが可能であるので、単独運転発生態様に対応する側の判定出力で無効電力を電力系統により高速に注入して単独運転検出することを可能とし、単独運転検出の高速化を図ることができる。
〔（Ｎ０−Ｎａｖｒ）＞３Ｖ〕ａｎｄ
〔（Ｎ１−Ｎａｖｒ）＞３Ｖ〕ａｎｄ
〔（Ｎ２−Ｎａｖｒ）＞−０．５Ｖ〕ａｎｄ
〔−０．５＜（Ｎ３−Ｎａｖｒ）＜０．５Ｖ〕ａｎｄ
〔−０．５＜（Ｎ４−Ｎａｖｒ）＜０．５Ｖ〕ａｎｄ
〔−０．５＜（Ｎ５−Ｎａｖｒ）＜０．５Ｖ〕    …（１ａ）
〔（Ｍ０−Ｍａｖｒ）＞２Ｖ〕ａｎｄ
〔（Ｍ１−Ｍａｖｒ）＞２Ｖ〕ａｎｄ
〔（Ｍ２−Ｍａｖｒ）＞−０．５Ｖ〕ａｎｄ
〔−０．５＜（Ｍ３−Ｍａｖｒ）＜０．５Ｖ〕ａｎｄ
〔−０．５＜（Ｍ４−Ｍａｖｒ）＜０．５Ｖ〕ａｎｄ
〔−０．５＜（Ｍ５−Ｍａｖｒ）＜０．５Ｖ〕    …（１ａ）
図８（ｂ）（ｄ）で示すように系統電圧、高調波歪電圧下降方向での系統電圧変動、高調波歪電圧変動の判定条件（ｂ１）（ｂ２）は、上記各系統電圧、高調波歪電圧が図８（ｂ）（ｄ）中の網掛け領域Ｓ２ａ，Ｓ２ｂ内の電圧であることである。この網掛け領域Ｓ２ａ，Ｓ２ｂに関して具体数値による判定条件式を示すと、下記式（２ａ）（２ｂ）である。図８（ｂ）（ｄ）中の黒丸（●）印は、各系統電圧、高調波歪電圧を示す目印である。図８（ｂ）（ｄ）中の（Ｎａｖｒ）（Ｎｉ）（Ｍａｖｒ）（Ｍｉ）は図８（ａ）（ｂ）中の（Ｎａｖｒ）（Ｎｉ）（Ｍａｖｒ）（Ｍｉ）に対応する。（）書きは、系統電圧の平均値Ｎａｖｒ、高調波歪電圧の平均値Ｍａｖｒ、系統電圧Ｎ０ないしＮ５、高調波歪電圧Ｍ０ないしＭ５と区別するためである。
〔（Ｎ０−Ｎａｖｒ）＜−３Ｖ〕ａｎｄ
〔（Ｎ１−Ｎａｖｒ）＜−３Ｖ〕ａｎｄ
〔（Ｎ２−Ｎａｖｒ）＜０．５Ｖ〕ａｎｄ
〔−０．５＜（Ｎ３−Ｎａｖｒ）＜０．５Ｖ〕ａｎｄ
〔−０．５＜（Ｎ４−Ｎａｖｒ）＜０．５Ｖ〕ａｎｄ
〔−０．５＜（Ｎ５−Ｎａｖｒ）＜０．５Ｖ〕            …（２ａ）
〔（Ｍ０−Ｍａｖｒ）＜−２Ｖ〕ａｎｄ
〔（Ｍ１−Ｍａｖｒ）＜−２Ｖ〕ａｎｄ
〔（Ｍ２−Ｍａｖｒ）＜０．５Ｖ〕ａｎｄ
〔−０．５＜（Ｍ３−Ｍａｖｒ）＜０．５Ｖ〕ａｎｄ
〔−０．５＜（Ｍ４−Ｍａｖｒ）＜０．５Ｖ〕ａｎｄ
〔−０．５＜（Ｍ５−Ｍａｖｒ）＜０．５Ｖ〕            …（２ｂ）
なお、理解のため代表例として各系統周期ごとの系統電圧は上記網掛け領域Ｓ１ａ，Ｓ２ａ内、各系統周期ごとの高調波歪電圧は上記網掛け領域Ｓ１ｂ，Ｓ２ｂ内に入っていて系統電圧、高調波歪電圧が上昇する場合も下降する場合も系統電圧変動の判定条件（ｂ１）、高調波歪電圧変動の判定条件（ｂ２）を充足するようになっている。
【００７０】
判定条件（ｂ１）（ｂ２）は、上記条件式で示すように現在系統周期Ｔ０から３周期前から５周期前までの３系統周期Ｔ３，Ｔ４，Ｔ５それぞれの系統電圧平均値Ｎａｖｒ、高調波歪電圧平均値Ｍａｖｒに対して過去６周期Ｔ０−Ｔ５それぞれの系統電圧、高調波歪電圧がそれぞれの系統周期ごとにいずれも網掛け領域Ｓ１ａ，Ｓ１ｂ，Ｓ２ａ，Ｓ２ｂ内であるときである。
【００７１】
第１無効電力注入演算部４４ａは、上記図７（ａ）（ｂ）、図８（ａ）（ｂ）で示すように上記判定条件（ａ１）（ｂ１）が成立するか否かの判定を行うと共に成立するとの判定により、図９（ａ）（ｂ）で示すように電力系統に無効電力を注入する制御を行うことができる。
【００７２】
第２無効電力注入演算部４４ｂは、上記図７（ａ）（ｂ）、図８（ｃ）（ｄ）で示すように上記判定条件（ａ２）（ｂ２）が成立するか否かの判定を行うと共に成立するとの判定により、図９（ａ）（ｂ）で示すように電力系統に無効電力を注入する制御を行うことができる。
【００７３】
図９（ａ）（ｂ）において横軸は、図７（ａ）（ｂ）、図８（ａ）ないし（ｄ）それぞれに対応した系統周期であり、縦軸は無効電力注入演算部４４から位相進み側または位相遅れ側に追加注入する無効電力（Ｖａｒ）を示す。実施の形態では図解のため図９（ａ）（ｂ）中に無効電力（Ｖａｒ）の値が位相進み側２００Ｖａｒ、位相遅れ側２００Ｖａｒが記入されているが、注入無効電力の値を限定する趣旨ではない。
【００７４】
また、現在系統周期Ｔ０で判定条件（ａ１）（ｂ１）；（ａ２）（ｂ２）が成立すると共に、系統周波数偏差の符号が図９（ａ）では現在系統周期Ｔ０ではプラス側、図９（ｂ）ではマイナス側になっているので、現在系統周期０で系統電圧上昇、高調波歪電圧上昇では位相進み、系統電圧下降、高調波歪電圧下降では位相遅れの無効電力として２００Ｖａｒを注入している。
【００７５】
これは、系統周波数偏差の符号がプラスでは無効電力量注入演算部４２からの無効電力が位相進みで、系統周波数偏差の符号がマイナスでは無効電力量注入演算部４２からの無効電力が位相遅れであるから、加算部４６で無効電力量注入演算部４２からの無効電力と無効電力注入演算部４４ａ，４４ｂからの無効電力とが相殺されないように、無効電力量注入演算部４２からの無効電力の位相遅れ進みと、無効電力注入演算部４４ａ，４４ｂからの無効電力の位相遅れ進みとを一致させるためである。
【００７６】
以上の説明において、本実施の形態では、図１０で示すように、上記した系統周波数変動型、系統電圧変動型、および高調波変動型三者の単独運転検出系統に対して、以下の単独運転検出方法を提供することができる。
【００７７】
すなわち、電力系統への無効電力の注入に関して、まず、ステップｎ０で、系統周波数計測部３６、系統電圧計測部３４ａ、高調波歪計測部３４ｂそれぞれからの系統周波数、系統電圧、高調波を計測し、それら計測から、ステップｎ１では、系統周波数偏差演算部４０で系統周波数偏差を演算する。そして、ステップｎ２で、系統周波数変動型の単独運転検出系統内の無効電力量注入演算部４２で注入無効電力量が演算され、ステップｎ３で、その演算された量の無効電力が無効電力加算部４６に入力される。ステップｎ３は、ステップｎ２での無効電力と、後述するステップｎ６、ｎ８の一方の無効電力とを加算するステップである。そしてステップｎ４は、それら加算した無効電力による出力電流制御部４８での出力電流制御である。
【００７８】
一方、ステップｎ１で演算した系統周波数偏差が０．１Ｈｚ以下で、かつ、単独運転状態での電気的変動が系統電圧変動である場合は、無効電力注入方式判定部４７は、系統電圧変動型単独運転検出系統である第１無効電力注入演算部４４ａからの無効電力を選択するように選択ゲート４５を切り替えることで、ステップｎ５から、ステップｎ６に移行し、ステップｎ３で第１無効電力注入演算部４４ａからの一定量の無効電力が無効電力加算部４６に入力される。
【００７９】
また、ステップｎ１で演算した系統周波数偏差が０．１Ｈｚ以下であるが、単独運転状態での電気的変動が系統電圧変動でない場合は、ステップｎ７に移行する。そして、このステップｎ７で、系統周波数偏差が０．１Ｈｚ以下で、かつ、単独運転状態での電気的変動が高調波変動である場合は、無効電力注入方式判定部４７は、高調波変動型単独運転検出系統である第２無効電力注入演算部４４ｂからの無効電力を選択するように選択ゲート４５を切り替えることで、ステップｎ７から、ステップｎ８に移行し、ステップｎ３で第２無効電力注入演算部４４ｂからの一定量の無効電力が無効電力加算部４６に入力される。
【００８０】
そして、単独運転検出時には、上記三者の単独運転検出系統のうち、系統周波数変動型単独運転検出系統からの無効電力と、系統電圧変動型または高調波変動型の単独運転検出系統のうちのいずれか一方の無効電力とを、ステップｎ４で、出力電流制御部４８からインバータ制御部２６に出力させることとなる。
【００８１】
以上の無効電力の出力形態を、図１１の表を参照して説明する。この表では、系統周波数偏差に基づく無効電力量注入演算部４２から無効電力を注入している場合に、注入無効電力と負荷無効電力とがバランスしているか否か、注入無効電力と負荷無効電力とがバランスしている場合とバランスしていない場合それぞれで分散型電源１２の有効電力と負荷有効電力とがバランスしているか否か、さらに、高調波のあり、なしで、上記三者の単独運転検出系統のどの組み合わせが好ましいかを示す表である。この表で○印は、単独運転検出感度が高く単独運転検出可能、△印は、単独運転検出感度が低いが単独運転検出可能、×印は、単独運転検出感度が無く単独運転検出不可能であることを示す。
【００８２】
すなわち、系統周波数変動型では、無効電力がバランスしていない領域のすべてにわたり、○印であり、無効電力量がバランスしている領域のすべてにわたり、△印である。
【００８３】
系統電圧変動型では、有効電力がバランスしていない領域のすべてで○印であり、有効電力がバランスしている領域のすべてで×印である。
【００８４】
高調波変動型では、高調波ありのすべてで○印であり、高調波なしのすべてで×印である。
【００８５】
図１１では、結局、上記三者の単独運転検出系統を組み合わせることで、無効電力、有効電力のすべてのバランス状態において、単独運転検出が可能であり、また、無効電力量がバランスし、有効電力もバランスし、高調波なしの場合の単独運転検出状態でも、系統周波数変動型の単独運転検出系統により、単独運転検出が可能である。
【００８６】
そして、上記三者の単独運転検出系統から無効電力を注入するのではなく、電力系統への影響を軽減するために、系統周波数変動型の単独運転検出系統一者単独による単独運転検出のための無効電力量注入、あるいは、系統周波数変動型の単独運転検出系統と、系統周波数変動型または高調波変動型の単独運転検出系統のいずれか一方との二者で単独運転検出のための無効電力の注入を行うので、電力系統に対する影響を極力軽減しつつ広範囲の単独運転状態に対して単独運転検出を良好な感度で行うことができる。
【００８７】
図１２、図１３を参照して本発明の他の実施の形態を説明する。この実施の形態では、選択ゲート４９により、上記三者のいずれか１つを選択するものである。図１３のステップｎ９で、系統周波数偏差が０．１Ｈｚ以下でなければ、ステップｎ２に進み、系統周波数偏差が０．１Ｈｚ以下であれば、ステップｎ５´以降に進むものである。したがって、図１０のステップｎ５は、図１３のステップｎ９とｎ５´、図１０のステップｎ７は図１３のステップｎ９とｎ７´と同等である。したがって、この実施の形態の場合でも、図１１の表から、電力系統に対する影響を極力軽減しつつ広範囲の単独運転状態に対して単独運転検出を良好な感度で行うことができる。
【００８８】
本発明は、上述した実施の形態に限定されるものではなく、特許請求の範囲に記載した範囲内で、種々な変更ないしは変形を含むものである。
【図面の簡単な説明】
【００８９】
【図１】図１は、本発明の実施の形態に係る単独運転検出方法が適用される分散型電源システムの構成を示す図である。
【図２】図２は、図１の制御装置の機能ブロック図である。
【図３】図３は周期偏差を演算の説明に供する図である。
【図４】図４は周期偏差対無効電力量との関係を示す図である。
【図５】図５は本発明の実施の形態に係る単独運転検出方法が適用される他の分散型電源システムの構成を示す図である。
【図６】図６は各系統周期ごとの系統電圧、高調波歪電圧と３周期分の系統電圧、高調波歪電圧の平均値との説明に用いる図である。
【図７】図７（ａ）は系統電圧、高調波歪電圧が上昇側に急変する場合に系統周波数変化が判定条件（ａ１）（ａ２）を充足するか否かの説明に用いる図、図７（ｂ）は系統電圧、高調波歪電圧が下降側に急変する場合に系統周波数変化が判定条件（ａ１）（ａ２）を充足するか否かの説明に用いる図である。
【図８】図８（ａ）は系統電圧が上昇側に急変する場合の系統電圧変化が判定条件（ｂ１）を充足するか否かの説明に用いる図、図８（ｂ）は系統電圧が下降側に急変する場合の系統電圧変化が判定条件（ｂ１）を充足するか否かの説明に用いる図、図８（ｃ）は高調波歪電圧が上昇側に急変する場合の高調波歪電圧変化が判定条件（ｂ２）を充足するか否かの説明に用いる図、図８（ｄ）は高調波歪電圧が下降側に急変する場合の高調波歪電圧変化が判定条件（ｂ２）を充足するか否かの説明に用いる図である。
【図９】図９（ａ）は系統電圧、高調波歪電圧が上昇側に急変する場合の無効電力注入の説明に用いる図、図９（ｂ）は系統電圧、高調波歪電圧が下降側に急変する場合の無効電力注入の説明に用いる図である。
【図１０】図１０は実施の形態の動作説明に関わるフローチャートである。
【図１１】図１１は上記フローチャートに対応する系統周波数変動型、系統電圧変動型、高調波変動型三者の単独運転検出系統における無効電力バランス、有効電力バランス、高調波あり、なしでの単独運転検出状態を示す表図である。
【図１２】図１２は他の実施の形態に関わる制御装置の機能ブロック図である。
【図１３】図１３は他の実施の形態の動作説明に関わるフローチャートである。
【図１４】図１４は、分散型電源の多数台連系のイメージ図である。
【符号の説明】
【００９０】
１０  分散型電源システム
１２  分散型電源
１４  電力系統
１６  パワーコンディショナ
１８  単独運転検出装置
２０，２２  連系リレー
２４  制御装置
２６  インバータ制御部
２８  インバータ
【図１】
0004835587.tif 000002
【図２】
0004835587.tif 000003
【図３】
0004835587.tif 000004
【図４】
0004835587.tif 000005
【図５】
0004835587.tif 000006
【図６】
0004835587.tif 000007
【図７】
0004835587.tif 000008
【図８】
0004835587.tif 000009
【図９】
0004835587.tif 000010
【図１０】
0004835587.tif 000011
【図１１】
0004835587.tif 000012
【図１２】
0004835587.tif 000013
【図１３】
0004835587.tif 000014
【図１４】
0004835587.tif 000015